(57)【要約】【課題】高い利便性を確保しつつ、子機の軽量化および小型化を図ることが可能なコードレス電話機を提供することを目的とする。【解決手段】親機１０と子機２０（２１〜２３）とを備えたコードレス電話機において、親機１０は、子機２０と無線通信する親機無線制御部と、子機２０へ充電電流を供給する充電回路とを備え、子機２０は、親機１０から供給される充電電流で充電されるバッテリと、バッテリからの電流をバックアップ電流として親機１０へ通電する切替回路と、親機１０との無線リンクが途絶したことを検出して、切替回路を切り替えてバックアップ電流を親機１０へ供給する子機無線制御部とを備えている。【選択図】図１
2007243281.tif 000002
【特許請求の範囲】
【請求項１】
親機と子機とを備えたコードレス電話機において、
前記親機は、
前記子機と無線通信する親機無線制御部と、
前記子機へ充電電流を供給する充電回路とを備え、
前記子機は、
前記親機から供給される充電電流で充電されるバッテリと、
前記バッテリからの電流をバックアップ電流として親機へ通電する切替回路と、
前記親機との無線リンクが途絶したことを検出して、前記切替回路を切り替えて前記バックアップ電流を前記親機へ供給する子機無線制御部とを備えたことを特徴とするコードレス電話機。
【請求項２】
前記子機には、子機本体が前記親機に搭載状態であることを検出して前記子機無線制御部に通知する検出部が設けられ、
前記子機無線制御部は、前記検出部が前記親機に搭載状態であることを検出し、かつ前記親機との無線リンクの途絶の検出を条件に、前記バックアップ電流を前記親機に供給することを特徴とする請求項１記載のコードレス電話機。
【請求項３】
前記子機の検出部は、子機本体が前記親機に搭載状態であるときに押下されるスイッチであることを特徴する請求項２記載のコードレス電話機。
【請求項４】
前記子機無線制御部は、前記親機無線制御部と周期的に通信することで無線リンクを確立し、前記親機無線制御部からの無線が不達となることで、無線リンクが途絶したものと判断することを特徴とする請求項１から３記載のいずれかの項に記載のコードレス電話機。
【請求項５】
前記親機と通信可能な１台以上の他の子機を備え、
前記他の子機は、前記子機からのバックアップ電流が前記親機へ供給されている間、前記親機と無線リンクの確立が可能であることを特徴とする請求項１から４記載のコードレス電話機。
【発明の詳細な説明】
【技術分野】
【０００１】
本発明は、充電された子機から親機へ電源供給が可能なコードレス電話機に関する。
【背景技術】
【０００２】
従来のコードレス電話機として特許文献１に記載されたものがある。この特許文献１に記載のコードレス留守番電話機は、親機の所定の位置に子機を載置すると親機側から子機側へ充電され、親機側が停電すると子機に設けられた親機停電検出回路が停電を検出して、子機に蓄えられたバックアップ用のバッテリのエネルギを親機側へ供給するものである。このように特許文献１に記載のコードレス留守番電話機は、親機が停電で電灯線から電源の供給ができなくても、子機から電源を供給することで、親機を長時間使用することができるので、利便性が高いコードレス電話機である。
【特許文献１】特開平６−１５２７０５号公報
【発明の開示】
【発明が解決しようとする課題】
【０００３】
コードレス電話機の子機は、持ち運びが容易なので、片手で持って移動しながら長時間の通話を行っても疲れないように、軽量化や小型化が益々進んでいくものと思われる。しかし、通常は親機側から子機側へ充電するものを、停電時は子機側から親機側へ電源供給する特許文献１に記載のコードレス留守番電話機にあっては、子機側に親機停電検出回路を設けているので、その分だけ回路規模が大きくなり、子機自体の大きさが大きくなってしまい軽量化および小型化の阻害要因となる。
【０００４】
そこで本発明の目的は、高い利便性を確保しつつ、子機の軽量化および小型化を図ることが可能なコードレス電話機を提供することにある。
【課題を解決するための手段】
【０００５】
本発明のコードレス電話機は、親機と子機とを備えたコードレス電話機において、前記親機は、前記子機と無線通信する親機無線制御部と、前記子機へ充電電流を供給する充電回路とを備え、前記子機は、前記親機から供給される充電電流で充電されるバッテリと、前記バッテリからの電流をバックアップ電流として親機へ通電する切替回路と、前記親機との無線リンクが途絶したことを検出して、前記切替回路を切り替えて前記バックアップ電流を前記親機へ供給する子機無線制御部とを備えたことを特徴とする。
【発明の効果】
【０００６】
本発明は、親機と子機とが無線通信する際の無線リンクを、子機無線制御部が親機側での停電の検出に用いることで、親機側電源の停電を検出する停電検出回路のような大規模な回路の追加をする必要がないので、高い利便性を確保しつつ、子機の軽量化および小型化を図ることが可能である。
【発明を実施するための最良の形態】
【０００７】
本願の第１の発明は、親機と子機とを備えたコードレス電話機において、親機は、子機と無線通信する親機無線制御部と、子機へ充電電流を供給する充電回路とを備え、子機は、親機から供給される充電電流で充電されるバッテリと、バッテリからの電流をバックアップ電流として親機へ通電する切替回路と、親機との無線リンクが途絶したことを検出して、切替回路を切り替えてバックアップ電流を親機へ供給する子機無線制御部とを備えたことを特徴としたものである。
【０００８】
停電が発生すると電灯線からの電源供給がなくなるので親機のみでは動作できなくなる。子機は、親機に設けられた充電回路から供給された充電電流によって充電されたバッテリを有しているので、停電が発生しても動作可能である。子機は親機と無線通信しているが、親機が動作不能となると無線リンクが途絶する。従って、子機の子機無線制御部は、親機との無線リンクが途絶したことで、停電が発生したと認識して、バッテリからの電流をバックアップ電流として親機へ通電するよう切替回路を切り替えて、停電で動作不能となった親機をバックアップして動作可能な状態とする。つまり親機と子機とが無線通信する際の無線リンクを、子機無線制御部が親機側での停電の検出に用いることで、親機側電源の停電を検出する停電検出回路のような大規模な回路の追加をする必要がない。
【０００９】
本願の第２の発明は、子機には、子機本体が親機に搭載状態であることを検出して子機無線制御部に通知する検出部が設けられ、子機無線制御部は、検出部が親機に搭載状態であることを検出し、かつ親機との無線リンクの途絶の検出を条件に、バックアップ電流を親機に供給することを特徴とする。
【００１０】
子機無線制御部が停電と判定したことを契機に、バックアップ電流を子機側から供給すると、例えば電波障害で無線リンクが途絶するとバックアップ電流を供給する端子にバックアップ電流が出力されてしまう。そのときに端子に金属が触れると金属に電流が流れることになる。そこで、子機に、子機本体が親機に搭載状態であることを検出して子機無線制御部に通知する検出部が設け、親機に子機本体が搭載状態であることを検出部が検出し、かつ親機との無線リンクの途絶の検出を条件に、子機無線制御部がバックアップ電流を親機に供給することで、子機を親機に搭載した状態でないとバックアップ電流が供給されないので、端子同士の短絡や利用者などが誤って端子に触れてしまうことが防止できる。従って、安全に親機のバックアップを行うことができる。
【００１１】
本願の第３の発明は、子機の検出部は、子機本体が親機に搭載状態であるときに押下されるスイッチであることを特徴したものである。
【００１２】
検出部を、子機本体が親機に搭載状態であるときに押下されるスイッチとし、その押下状態を子機無線制御部へ通知することで子機本体が搭載状態か否かを判定すれば、簡単な部品で確実に子機本体が搭載状態であることを検出することができる。
【００１３】
本願の第４の発明は、子機無線制御部は、親機無線制御部と周期的に通信することで無線リンクを確立し、親機無線制御部からの無線が不達となることで、無線リンクが途絶したものと判断することを特徴としたものである。
【００１４】
子機無線制御部が、親機無線制御部と周期的に通信することで無線リンクを確立し、親機無線制御部からの無線が不達となることで、無線リンクが途絶したものと判断することで、確実に早く親機の停電を検出できる。
【００１５】
本願の第５の発明は、親機と通信可能な１台以上の他の子機を備え、他の子機は、子機からのバックアップ電流が親機へ供給されている間、親機と無線リンクの確立が可能であることを特徴としたものである。
【００１６】
子機からのバックアップ電流が親機へ供給されている間、親機と無線リンクの確立が可能な１台以上の子機を備えることで、子機から親機へバックアップ電流が供給されている間、非停電時と同様に１台以上の他の子機を使用して親機と通話などを楽しむことができる。
【００１７】
（実施の形態）
本発明の実施の形態に係るコードレス電話機を図面に基づいて説明する。まずはコードレス電話機全体の構成を図１に基づいて説明する。図１は、本発明の実施の形態に係るコードレス電話機全体を示す外観図である。
【００１８】
図１に示すように、コードレス電話機１は、親機１０と、３台の子機２０（２１〜２３）とを備えている。子機２１は、使用されないときには親機１０に搭載され、使用するときには無線通信で親機１０を介して通話するものである。また、子機２２，２３は、親機１０とは別室に設置される子機である。例えば、親機１０と子機２１とのセットをリビングに配置すると、子機２２を子供部屋に配置したり、子機２３を寝室に配置したりして使用する。子機２１は親機１０に搭載されることで充電され、子機２２，２３は充電台３０に搭載されることで充電される。本実施の形態では、子機２０として、子機２２および子機２３の２台図示しているが、１台でも３台以上としてもよい。
【００１９】
親機１０は、図示しない電話回線と接続され、子機２０とは無線通信で接続される。親機１０は、電灯線から９Ｖの直流に変換する平行２ピンのプラグが設けられたＡＣアダプタ１１から電源が供給される。そして親機１０に搭載された子機２０は、親機１０から充電電流が供給され充電する。また充電台３０は、電灯線から９Ｖの直流に変換する平行２ピンのプラグを備えたＡＣアダプタ３１から電源が供給され、子機２０へ充電電流を供給する。
【００２０】
次に、コードレス電話機１の親機１０の構成について図２および図３に基づいて説明する。図２は、コードレス電話機の親機の一例を示すブロック図である。図３は、親機の切替回路の一例を示す図である。
【００２１】
図２に示すように、親機１０は、ＡＣアダプタ１１から入力された直流電圧を昇圧したり減圧したりするＤＣ／ＤＣコンバータ１０１と、ＤＣ／ＤＣコンバータ１０１からの出力を親機全体の回路へ供給する安定化電源回路１０２とを備えている。ＤＣ／ＤＣコンバータ１０１は、本実施の形態ではＡＣアダプタ１１からの９Ｖの直流電圧を４Ｖまで低下させるダウンコンバータである。また安定化電源回路１０２は、３端子レギュレータなどが使用できる。本実施の形態では、ＤＣ／ＤＣコンバータ１０１と安定化電源回路１０２とを分けて構成しているが、ＡＣアダプタ１１からの直流電圧を親機全体の回路に合致した電圧で安定して供給可能な電源装置であれば、１つの構成としてもよい。
【００２２】
親機１０は、安定化電源回路１０２から電源が供給される親機１０全体の回路として、制御部１０３と、無線部１０４と、表示部１０５と、操作部１０６と、スピーカ１０７と、マイク１０８とを備えている。
【００２３】
制御部１０３は、親機１０全体を統括制御する機能を備え、利用者が操作部１０６をボタン操作することで入力した発信先電話番号に基づいて電話回線に発信したり、電話回線からの着信を検知してスピーカ１０７を鳴動したりする。また、制御部１０３は、マイク１０８からの音声信号を電話回線へ出力したり、電話回線からの音声信号をスピーカ１０７へ出力したりする。更に、制御部１０３は、利用者が子機２０を使用して通話するときには、電話回線からの音声信号を音声データとして無線部１０４へ出力したり、無線部１０４からの音声データを電話回線へ出力したりする。
【００２４】
無線部１０４は、制御部１０３からの音声データや情報データを変調してアンテナ１０９を介して子機２０へ無線信号で送信したり、アンテナ１０９を介して子機２０からの無線信号を受信し、復調して音声データや情報データとして制御部１０３へ出力したりする。このように親機１０は、子機２０とデータの送受信を行うときには、制御部１０３と無線部１０４とで構成される無線制御部により無線通信をする。
【００２５】
表示部１０５は、制御部１０３から出力された表示データを表示する。操作部１０６は、「０」〜「９」および「＊」，「＃」などの数字キーと、各種の機能キーを備えており、利用者が押下することで、押下したキーに応じてキーデータが制御部１０３へ出力される。スピーカ１０７は、制御部１０３からの音声信号を音声として出力する。マイク１０８は、利用者が発する音声を音声信号として制御部１０３へ出力する。
【００２６】
また親機１０は、ＡＣダウン検知回路１１０を備えている。ＡＣダウン検知回路１１０は、ＡＣアダプタ１１からの出力が低下してやがて制御部１０３が動作不能となることを制御部１０３へ予告する回路である。この予告は、制御部１０３への割り込みの通知となる。これにより制御部１０３は、電圧低下により動作不能状態となる僅かな間に、書き込み途中のデータや、保存すべきデータなどの保護を行う。
【００２７】
また親機１０は、子機２１を搭載したときに、子機２１を充電するための充電回路１１１と、充電検知回路１１２とを備えている。充電回路１１１は、子機２１へ充電電流を出力する回路である。この充電電流は子機２１に設けられた端子と接触する親機１０本体から露出した端子１１３を介して出力されるので、この充電回路１１１には保護用のツェナーダイオードやノイズ除去用のコンデンサなどが設けられている。また、端子１１３を介して子機２１から供給されるバックアップ電流の逆流を防止するために、出力段にダイオードが設けられている。
【００２８】
そして、親機１０には、切替回路１１４が設けられている。この切替回路１１４は、ＡＣアダプタ１１からの電圧を監視して、電圧が低下して所定電圧以下となると、子機２０からのバックアップ電流を制御部１０３や無線部１０４などに安定化電源回路１０２を介して出力する回路である。
【００２９】
ここで、切替回路１１４の一例について図３に基づいて説明する。図３に示すように切替回路１１４は、ＡＣアダプタ１１からの電圧を分圧する分割抵抗Ｒ１，Ｒ２と、分割抵抗Ｒ１，Ｒ２で分圧された電圧が低下すると端子１１３からのバックアップ電流を安定化電源回路１０２へ出力する電界効果トランジスタＦＥＴとで構成されている。本実施の形態では図３に示すように切替回路１１４を抵抗とＦＥＴとで構成したが、リレーとすることもできる。その場合には、非停電時には開放して端子１１３と安定化電源回路１０２の入力との接続を切断状態とし、停電時にはＡＣダウン検知回路１１０からの電圧低下の通知により制御部１０３からの指示で、端子１１３と安定化電源回路１０２の入力を短絡させて導通状態とする状態保持が可能なリレーとすることで可能である。
【００３０】
次にコードレス電話機１の子機２０の構成について図４および図５に基づいて説明する。図４は、コードレス電話機の子機を示すブロック図である。図５は、子機の切替回路の一例を示す図である。
【００３１】
図４に示すように、子機２０は、親機１０から供給される充電電流を入力してバッテリ２０１に供給する充電回路２０２を備えている。この充電電流は、例えば子機２１が親機１０に搭載されたときには、親機１０側の端子１１３と子機２０側の端子２０３とが接触することで親機１０から供給される。また子機２２または子機２３が充電台３０に搭載されたときには、充電台３０に設けられた端子と子機２０側の端子２０３が接触することで充電台３０から供給される。充電回路２０２は、子機２０本体から露出した端子２０３を介して充電電流が入力され、またバックアップ電流が出力されるので、保護用のツェナーダイオードやノイズ除去用のコンデンサなどが設けられている。そして充電電流は、充電回路２０２から出力されバッテリ２０１へ供給され、バッテリ２０１を充電する。また、安定化電源回路２０４へ電源電流となって入力され、安定化電源回路２０４から子機２０
全体の回路へ供給される。子機２０の安定化電源回路２０４も親機１０と同様に３端子レギュレータなどが使用できる。
【００３２】
子機２０は、安定化電源回路２０４から電源が供給される子機２０全体の回路として、制御部２０５と、無線部２０６と、表示部２０７と、操作部２０８と、スピーカ２０９と、マイク２１０とを備えている。
【００３３】
制御部２０５は、子機２０全体を統括制御する機能を備え、利用者が操作部２０８をボタン操作することで入力した発信先電話番号を親機１０へ送信したり、親機１０からの着信を検知してスピーカ２０９を鳴動したりする。また制御部２０５は、マイク２１０からの音声信号を音声データとして無線部２０６へ出力したり、無線部２０６からの音声データを音声信号としてスピーカ２０９へ出力したりする。
【００３４】
無線部２０６は、制御部２０５からの音声データや情報データを変調してアンテナ２１１を介して親機１０へ無線信号で送信したり、親機１０からの無線信号を、アンテナ２１１を介して受信し、復調して音声データや情報データとして制御部２０５へ出力したりする。このように子機２０は、親機１０とデータの送受信を行うときには、制御部２０５と無線部２０６とで構成される無線制御部により無線通信をする。
【００３５】
表示部２０７は、制御部２０５から出力された表示データを表示する。操作部２０８は、「０」〜「９」および「＊」，「＃」などの数字キーと、各種の機能キーを備えており、利用者が押下することで、押下したキーに応じてキーデータが制御部２０５へ出力される。スピーカ２０９は、制御部２０５からの音声信号を音声として出力する。マイク２１０は、利用者が発する音声を音声信号として制御部２０５へ出力する。
【００３６】
また子機２０は、親機１０に搭載状態であることを検出して制御部２０５へ通知する検知部２１２を備えている。この検知部２１２は、子機２０が親機１０に搭載状態であるときに押下されて短絡し、外すと開放する押しボタン型のスイッチとすることができる。例えば、親機１０に子機２１を搭載して子機２１のバッテリ２０１を充電する場合では、子機２１を親機１０に搭載したときに検知部２１２としたスイッチが子機２１の自重で短絡状態となると、その状態を制御部２０５から読み込むことで親機１０に搭載状態であることが判定できる。検知部２１２を押しボタン型のスイッチとしたときには、子機２０を机の上や棚の上に載置したときにスイッチが押圧されて短絡しないよう、子機２０本体から引っ込ませた状態で配置されるのが望ましい。そうした場合には親機１０側に子機２０を搭載したときに、引っ込ませた状態のスイッチを押下するリブなどの凸部を設けるようにする。また検知部２１２は、磁界に反応するリードスイッチやホール素子を用いたセンサとすることができる。検知部２１２をリードスイッチやホール素子を用いたセンサとしたときには、親機１０側には永久磁石を設ける。そうすることで検知部２１２を非接触で作動させることができるので、親機１０にリブなどの凸部を形成する必要がないので美観を向上させることができる。
【００３７】
そして、子機２０には、切替回路２１３が設けられている。この切替回路２１３は、制御部２０５からの指示によりバッテリ２０１からの電流をバックアップ電流として親機１０へ通電するものである。
【００３８】
ここで、切替回路２１３の一例について図５に基づいて説明する。図５に示すように切替回路２１３は、制御部２０５に接続される分割抵抗Ｒ３，Ｒ４と、分割抵抗Ｒ３，Ｒ４の出力がベースに接続されるトランジスタＴｒ１と、バッテリ２０１とトランジスタＴｒ１のコレクタとに接続される抵抗Ｒ５と、トランジスタＴｒ１のコレクタがベースに接続されるトランジスタＴｒ２と、バッテリ２０１とトランジスタＴｒ２のコレクタとに接続
される分割抵抗Ｒ６，Ｒ７と、分割抵抗Ｒ６，Ｒ７の出力がベースに接続されてバッテリ２０１からの電流をコレクタからエミッタへ流し端子２０３へと通電するように接続されるトランジスタＴｒ３とを備えている。
【００３９】
以上のように構成される本発明の実施の形態に係るコードレス電話機の動作を図面に基づいて説明する。まずは親機１０が非停電状態にあるときの親機１０および子機２０の動作を、更に図６および図７を参照しながら説明する。図６は、非停電状態であるときに子機へ供給される充電電流の流れを示す親機のブロック図である。図７は、非停電状態であるときに親機から供給される充電電流の流れを示す子機のブロック図である。
【００４０】
図６に示すように、親機１０は、電灯線を介してＡＣアダプタ１１から直流が供給される。電源が供給されるとＤＣ／ＤＣコンバータ１０１により所定電圧に減圧され、安定化電源回路１０２を介して制御部１０３や無線部１０４などに供給される（Ｃ１〜Ｃ３）。
【００４１】
制御部１０３や無線部１０４に電源が供給されることで、無線部１０４からパケットを送信し始める。そしてＡＣアダプタ１１からの直流は、充電回路１１１に入力され、充電電流となって端子１１３を介して子機２１へ出力される（Ｃ４）。
【００４２】
ここで非停電状態であるときの切替回路１１４の動作を図３に基づいて詳細に説明する。非停電状態であるとＡＣアダプタ１１から直流が出力されるため分割抵抗Ｒ１，Ｒ２による出力電圧が電界効果トランジスタＦＥＴのゲートに印加される。従って、電界効果トランジスタＦＥＴはＯＦＦの状態となり充電電流は安定化電源回路１０２へ出力されないので、充電回路１１１からの出力はそのまま端子１１３へ、ＤＣ／ＤＣコンバータ１０１の出力はそのまま安定化電源回路１０２へ出力されて、それぞれ出力に切替回路１１４は影響を与えない。
【００４３】
親機１０から出力された充電電流Ｃ５は、図７に示すように子機２１の端子２０３から入力され、充電回路２０２を介してバッテリ２０１を充電すると共に、安定化電源回路２０４へ供給される。安定化電源回路２０４へ充電電流Ｃ５が供給されることで、安定化電源回路２０４から制御部２０５や無線部２０６へ電源が供給され、親機１０からのパケットの受信を開始する。
【００４４】
ここで、親機１０と子機２０とが無線通信するときの手順について、図８に基づいて説明する。図８は、親機と子機とが無線通信するときの手順を示す図である。
【００４５】
親機１０と子機２０とは、親機１０を主局、子機２０を従局としたＴＤＭＡ（Time Division Multiple Access）方式で無線通信を行っている。図８に示すように、例えば子機２１がスロット「１」およびスロット「５」が割り当てられた従局である場合では、主局である親機１０がスロット「１」でパケットを送信すると、従局である子機２１がそのパケットを受信して親機１０と同期を取る。子機２１側に親機１０へ送信するデータがあればスロット「１」に対するスロット「５」で送信する。つまり子機２１は、親機１０からスロット「１」で送信されるパケットを受信していれば、無線リンクが確立していることを認識することができる。従って、親機１０が停電のために動作不能状態となると、パケットの送信ができないので、子機２１はスロット「１」でのパケットが受信できなり、無線リンクが途絶したと認識して親機１０が停電状態にあることが認識できる。
【００４６】
このＴＤＭＡ方式の無線リンクは、親機１０と子機２０が通信を行うときには子機２０は親機１０と同期を取る必要があるので、従来のコードレス電話機でも行われていることである。例えば、従来のコードレス電話機では、無線リンクが確立している場合には表示画面にアンテナを模した表示を行ったり、無線リンクが途絶している場合には「圏外」な
どの文字表示を行ったりしている。従って、無線リンクが確立しているか、途絶しているかを判定するために子機２０の制御部２０５に新たな機能の追加をする必要がない。
【００４７】
子機２０による親機１０からのスロット「１」で送信されるパケットの監視は、常に行うのが望ましい。しかし、子機２０はバッテリ２０１により駆動されているため、消費電流が大きい無線部２０６を受信する度に活性化していては子機２０の待機時間や通話可能時間を短縮させる要因となる。従って、例えば制御部２０５は、親機１０からの１つのパケットを受信した後は、カウントして６４０ｍｓ程度休止するなどして消費電流を抑制するのが望ましい。
【００４８】
本実施の形態では、親機１０を主局、子機２０を従局としたＴＤＭＡ方式による無線通信手順としているが、子機２０から親機１０へパケットを送信して、その応答により無線リンクを確立する無線通信手順とすることも可能である。また他の通信手順でも子機２０が親機１０の存在を確認可能な通信手順であれば採用することが可能である。
【００４９】
図７に戻って、このようにして子機２０の制御部２０５は、無線部２０６を介して親機１０からのパケットを受信することで、親機１０との無線リンクが確立しているものと判定しているため、バッテリ２０１へ流れる充電電流を端子２０３へ切替回路２１３を介して通電させていない。
【００５０】
ここで非停電状態であるときの切替回路２１３の動作を図５に基づいて詳細に説明する。図５に示すように制御部２０５から切り替えの指示がないときには、抵抗Ｒ３に電圧が出力されない。従って分割抵抗Ｒ３，Ｒ４の分割ポイントではＬレベルとなりトランジスタＴｒ１がＯＦＦとなる。トランジスタＴｒ１がＯＦＦであるため、トランジスタＴｒ２のベース電圧は、抵抗Ｒ５によってバッテリ２０１の電圧に維持されＨレベルとなる。トランジスタＴｒ２のベース電圧がＨレベルとなることで、Ｔｒ２はＯＦＦとなるので、抵抗Ｒ６によりトランジスタＴｒ３のベース電圧はバッテリ２０１の電圧に維持されＨレベルになる。これによりトランジスタＴｒ３がＯＦＦとなる。つまり、バッテリ２０１を充電している充電電流は端子２０３へは逆流しない。
【００５１】
次に、親機１０が停電状態にあるときの動作を親機１０および子機２０の動作を、更に図９および図１０を参照しながら説明する。図９は、停電状態であるときのバックアップ電流の流れを示す親機のブロック図である。図１０は、停電状態であるときに親機へ供給するバックアップ電流の流れを示す子機のブロック図である。
【００５２】
図９に示すように停電が発生するとＡＣアダプタ１１からの出力電圧が低下し始める。この電圧低下が所定電圧となったことをＡＣダウン検知回路１１０が検出して制御部１０３へ通知する。この通知を入力した制御部１０３は、書き込み途中のデータや保存すべきデータなどの保護を行う。そして、更にＡＣアダプタ１１からの出力電圧が低下すると制御部１０３および無線部１０４などが動作不能状態となる。また、充電回路１１１を介して出力されていた充電電流も出力されなくなる。
【００５３】
図１０に示すように、停電によって親機１０からパケットの送信がされなくなると、子機２０の制御部２０５は、親機１０との無線リンクの途絶を検出する。制御部２０５は、検知部２１２から子機２０が親機１０に搭載されているか否かの状態を読み込む。子機２０が親機１０に搭載されている状態であれば、切替回路２１３に切り替えを指示する。
【００５４】
ここで、停電状態であるときの切替回路２１３の動作を図５に基づいて詳細に説明する。図５に示すように制御部２０５から切り替えの指示があったときには、抵抗Ｒ３に電圧が出力される。従って分割抵抗Ｒ３，Ｒ４の分割ポイントではＨレベルとなりトランジス
タＴｒ１がＯＮとなる。トランジスタＴｒ１がＯＮであるため、トランジスタＴｒ２のベース電圧はＬレベルとなる。トランジスタＴｒ２のベース電圧がＬレベルとなることでＴｒ２はＯＮとなり、分割抵抗Ｒ６、Ｒ７に電流が流れ、その分圧比により、トランジスタＴｒ３のベース電圧がＬレベルになる。これによりトランジスタＴｒ３がＯＮとなって、バッテリ２０１から出力されるバックアップ電流Ｃ６はトランジスタＴｒ３を介して端子２０３へ出力され、親機１０へ出力される（図１０参照）。
【００５５】
図９に戻って、親機１０へ出力されたバックアップ電流は、端子１１３を介して切替回路１１４へ入力される（Ｃ７）。
【００５６】
図３に示すように、ＡＣアダプタ１１からの出力がないときは、分割抵抗Ｒ１，Ｒ２による出力はＬレベルである。つまり、電界効果トランジスタＦＥＴはＯＮとなり、端子１１３から入力されるバックアップ電流は、安定化電源回路１０２へと通電される。このときＡＣアダプタ１１からの出力がないためＤＣ／ＤＣコンバータ１０１からの出力もない。従って、切替回路１１４がバックアップ電流を安定化電源回路１０２へ出力しても影響はない。図１０に示すように、切替回路１１４から出力されたバックアップ電流が安定化電源回路１０２へ入力され、安定化電源回路１０２から制御部１０３や無線部１０４へ、非停電時と同様に出力される（Ｃ８およびＣ９）。切替回路１１４が停電時のみに端子１１３からのバックアップ電流を安定化電源回路１０２へ出力するので、充電電流を出力する端子と、バックアップ電流を入力する端子を、端子１１３で兼用することができる。従って、親機１０側としては端子１１３を正電極および負電極の２ピンのみ備えていればよい。
【００５７】
このように親機１０が停電したときに、子機２１が親機１０に搭載されていれば子機２１のバッテリ２０１から電源を供給することができるので、親機１０での操作を非停電時と同様に使用を継続することができる。
【００５８】
また停電の検出に子機２０が親機１０との無線リンクの途絶を判定の条件としているので、大規模な回路などの追加を必要としない。従って子機２０の小型化、軽量化を図ることができる。
【００５９】
また、図１０に示すように、バックアップ電流が安定化電源回路１０２へ入力され、安定化電源回路１０２から制御部１０３や無線部１０４へ電源供給されている状態であれば、親機１０の主局としての機能が維持される。例えば従局である子機２２や子機２３が親機１０の近辺にあれば、子機２２または子機２３から親機１０へパケットを送信すると親機１０がそれを受信して応答することが可能であり、子機２２と親機１０間で無線リンクを確立することができる。従って、子機２１から親機１０へバックアップ電流が供給されている間、非停電時と同様に子機２２や子機２３を使用して親機１０と通話などを楽しむことができる。
【産業上の利用可能性】
【００６０】
本発明は、高い利便性を確保しつつ、子機の軽量化および小型化を図ることが可能なので、充電された子機から親機へ電源供給が可能なコードレス電話機に好適である。
【図面の簡単な説明】
【００６１】
【図１】本発明の実施の形態に係るコードレス電話機全体を示す外観図
【図２】コードレス電話機の親機の一例を示すブロック図
【図３】親機の切替回路の一例を示す図
【図４】コードレス電話機の子機を示すブロック図
【図５】子機の切替回路の一例を示す図
【図６】非停電状態であるときに子機へ供給される充電電流の流れを示す親機のブロック図
【図７】非停電状態であるときに親機から供給される充電電流の流れを示す子機のブロック図
【図８】親機と子機とが無線通信するときの手順を示す図
【図９】停電状態であるときのバックアップ電流の流れを示す親機のブロック図
【図１０】停電状態であるときに親機へ供給するバックアップ電流の流れを示す子機のブロック図
【符号の説明】
【００６２】
１    コードレス電話機
１０    親機
１１    ＡＣアダプタ
２０，２１，２２，２３    子機
３０    充電台
３１    ＡＣアダプタ
１０１    ＤＣ／ＤＣコンバータ
１０２    安定化電源回路
１０３    制御部
１０４    無線部
１０５    表示部
１０６    操作部
１０７    スピーカ
１０８    マイク
１０９    アンテナ
１１０    ＡＣダウン検知回路
１１１    充電回路
１１２    充電検知回路
１１３    端子
１１４    切替回路
２０１    バッテリ
２０２    充電回路
２０３    端子
２０４    安定化電源回路
２０５    制御部
２０６    無線部
２０７    表示部
２０８    操作部
２０９    スピーカ
２１０    マイク
２１１    アンテナ
２１２    検知部
２１３    切替回路
ＦＥＴ    電界効果トランジスタ
Ｒ１〜Ｒ７    抵抗
Ｔｒ１〜Ｔｒ３    トランジスタ
【図１】
2007243281.tif 000003
【図２】
2007243281.tif 000004
【図３】
2007243281.tif 000005
【図４】
2007243281.tif 000006
【図５】
2007243281.tif 000007
【図６】
2007243281.tif 000008
【図７】
2007243281.tif 000009
【図８】
2007243281.tif 000010
【図９】
2007243281.tif 000011
【図１０】
2007243281.tif 000012